(57)【要約】【課題】オンライン回線を介して、一杯になったメディアのデジタルデータを外部に保存して、メディアを再度利用可能にする。また、電子メールで添付送信できない大容量のデジタルデータを転送できるデジタルデータ一時預かり方法の提供。【解決手段】オンライン上に構築され、不特定多数の人にｗｗｗブラウザなどから、所望のデジタルデータを、一時預かりすることを特徴とするインターネット・コインロッカー。【選択図】        図１
2004318692.tif 000002
【特許請求の範囲】
【請求項１】
オンライン回線を介して、デジタルデータを保存する不特定多数の利用者から利用可能な、複数箇所以上用意されたデジタルデータ保管場所を提供することを特徴としたデジタルデータ一時預かり方法。
【請求項２】
請求項１において、保管できるデジタルデータの容量値が複数個以上用意されたことを特徴とするデジタルデータ一時預かりする方法。
【請求項３】
請求項１ないし請求項２において、一時預かりするデジタルデータに対して、一定期間保管し、所定期間が経過した後、前記デジタルデータを消去することを特徴としたデジタルデータ一時預かり方法。
【請求項４】
請求項１ないし請求項３において、一時預かりしたデジタルデータに対して、所有者認識コード、デジタルデータ保管場所に対応した、デジタルデータを取り出すための開錠パスワードを配信することを特徴としたデジタルデータ一時預かり方法。
【請求項５】
請求項１ないし請求項４において、一時預かりするデジタルデータに対して、デジタルデータ保護機構が施されていることを特徴としたデジタルデータ一時預かり方法。
【請求項６】
請求項１ないし請求項５において、一時預かりするデジタルデータの容量、期間に応じた課金を施すことを特徴としたデジタルデータ一時預かり方法。
【請求項７】
請求項１ないし請求項６において、一時預かりしたデジタルデータに対して、前記の一時預かりしたデジタルデータを取り出すことにより、前記一時預かりしたデジタルデータが消去されることを特徴としたデジタルデータ一時預かり方法。
【請求項８】
請求項１ないし請求項７において、一時預かりしたデジタルデータに対して、期限切れのメッセージを、オンライン回線を介して配信することを特徴としたデジタルデータ一時預かり方法。
【請求項９】
請求項８において、一時預かりしたデジタルデータに対する期限切れメッセージ配信に対し、前記の一時預かりしたデジタルデータに対する期間延長申請に応じて新規の課金と共に、新規の開錠パスワードを配信することを特徴としたデジタルデータ一時預かり方法。
【請求項１０】
請求項８において、一時預かりしたデジタルデータに対して、期限切れメッセージを配信し、一時預かりしたデジタルデータに対する期間延長拒否に応じて、デジタルデータが消去されることを特徴としたデジタルデータ一時預かり方法。
【請求項１１】
請求項１ないし請求項１０において、一時預かりするデジタル記録メディアに対するデジタルデータ変換装置を具したデジタルデータ一時預かり方法。
【発明の詳細な説明】
【０００１】
【発明の属する技術分野】
本発明は、通信ネットワークを用いたデータ保存、データ転送に係わり、特にインターネットに代表されるオープンな通信ネットワークを介して、デジタルデータを一時保存あるいは遠隔地に転送する方法に関する。
【０００２】
【従来の技術】
デジタルデータの保存は、電子機器内部のメモリ、または機器外部に取り付けられた外部記憶媒体により、行っていた。
【０００３】
また、デジタルデータの遠隔地への転送は、外部記録メディアにデジタルデータを記憶し、前記の外部記録メディアを物理的に転送先に送るか、小容量のデジタルデータの場合には電子メールによるデジタルデータ添付により、行っていた。
【０００４】
インターネットを利用したレンタルサーバを用いる方法もあるが、この場合、特別な個人認証（例えば、Ｅメールアドレス・個人氏名・住所  など）を行い、個人を特定する必要があり、不特定多数な利用者には開放されていないのが現状である。
【０００５】
【発明が解決しようとする課題】
デジタルデータの保存では、電子機器内部のメモリが足りなくなった場合や、外部記憶メディアがなくなった場合など、一時的にデジタルデータを他の場所に保存する必要があった。
【０００６】
また、画像デジタルデータ等の大容量のデジタルデータは、複数枚の外部記録メディアを必要とし、さらに、前記の大容量のデジタルデータが電子メールサーバの容量を越える場合には、前記の大容量のデジタルデータを、電子メールでは遠隔地に転送することができなかった。
【０００７】
【課題を解決するための手段】
上記目的を達成するために、デジタルデータを保存する電子機器内部のデジタルメモリが足りなくなった場合や、外部デジタル記憶メディアがなくなった場合などに、インターネット通信に代表されるオンライン回線を利用して、不特定多数の人に、所望のデジタルデータを一時的に他の場所に保存する方法を提供する。
【０００８】
このデジタルデータ一時預かり保存方法を利用することにより、前記電子機器内部のデジタルメモリを一時預かり保存を行った後、所定の前記デジタルメモリ内容を消去すれば、前記デジタルメモリを再度利用することができる。
【０００９】
また、前記外部記憶メディアでは、記憶メディアのデジタルデータを、オンライン回線を利用して、一時的に他の場所に保存した後、前記記憶メディアの内容を消去することにより再利用することができる。
【００１０】
さらに、このオンライン回線を利用した、デジタルデータを一時的に他の場所に保存する方法を利用することにより、大容量のデジタルデータの遠隔地への転送も可能である。
【００１１】
デジタルデータの保存、取り出し方法等は、例えばインターネットで広く知られているブラウザで実現できる。
【００１２】
デジタルデータを保存するシステムは、高速かつ大容量の計算機、ワークステーション、パーソナルコンピュータを用いるといよい。
【００１３】
【発明の実施の形態】
以下、本発明の実施の形態を図面に基づいて詳細に説明する。
【００１４】
図１、図３は、本実施形態の処理フローを、図２は本実施形態の全体構成図を、図４から図１７は本実施形態の画面イメージをそれぞれ現している。
【００１５】
まず、図２に示すインターネット・コインロッカー（デジタルデータ一時預かり方法）の全体構成図について説明する。
【００１６】
本実施形態のインターネット・コインロッカーは、インターネット・コインロッカー利用者装置１２、１３から送られてくるデジタルデータを、利用者、インターネット・コインロッカー番号、インターネット・コインロッカー開錠番号ごとに識別してデジタルデータを保存し、インターネット・コインロッカー利用者にインターネット・コインロッカー開錠番号を送り返すことと、利用者、インターネット・コインロッカー番号、インターネット・コインロッカー開錠番号を識別してデジタルデータをインターネット・コインロッカー利用者に送り返すインターネット・コインロッカー管理サーバ１１とが、通信ネートワーク１４で連結されたシステムである。通信ネットワーク１４は、ＬＡＮ、インターネット、公衆回線を介したパソコン通信網、その他の任意の有線または無線を使ったネットワークを利用することができる。
【００１７】
インターネット・コインロッカーサーバの装置構成
インターネット・コインロッカー管理サーバ１１の装置構成は、計算機１１１、プロブラム用記憶装置１１２、インターネット・コインロッカー用記憶装置１１３、データ通信ケーブル１１８を接続したものである。
【００１８】
プログラム記憶装置１１２は、計算機１１１で実行されるプログラムを、インターネット・コインロッカー用記憶装置１１３は、インターネット・コインロッカー利用者１２、１３から送られてくるデジタルデータを、利用者、インターネット・コインロッカー番号、インターネット・コインロッカー開錠番号ごとに識別して格納する装置である。プログラム記憶装置１１２やインターネット・コインロッカー用記憶装置１１３には、磁気ディスク、光ディスク、光磁気ディスクや半導体メモリなどを利用できるが、インターネット・コインロッカー用記憶装置１１３は大容量のものが望ましい。
【００１９】
通信ケーブル１１８は電話回線のように情報を伝達するためのもので、光ケーブルのように大量のデータを高速に通信できるようなものが望ましい。この場合、無線通信回線を用いて通信ネットワーク１４との間でデータを送受信するような構成をとる場合、通信ケーブル１１８に代えて無線通信回線インターフェースが設けられる。
【００２０】
インターネット・コインロッカー管理サーバ１１は、同時に多数の他システムに対して、デジタルデータの一時預かり（インターネット・コインロッカー）を受け付けるので、高速かつ大容量の計算機、ワークステーション、パーソナルコンピュータを用いると良い。
【００２１】
インターネット・コインロッカー利用者装置１２の装置構成
インターネット・コインロッカー利用者装置１２は、計算機１２１に、記憶措置１２２、入力装置１２４、出力装置１２５、デジタルデータ機器１２６、データ通信ケーブル１２８を接続したものである。
【００２２】
記憶措置１２２は、計算機１２１で実行されるプログラムやデジタルデータを格納する装置である。
【００２３】
入力装置１２４は、キーボードやポインティングデバイス（マウス、ペン等）などの操作者が情報を入力するための機器である。
【００２４】
出力装置１２５は、インターネット・コインロッカー操作状態を、画面や紙媒体に可視的に表示する装置であり、例えばＣＲＴディスプレイ、液晶ディスプレイ、プリンタ装置などを用いることができる。
【００２５】
デジタルデータ機器１２６は、インターネット・コインロッカーに保存する、デジタルデータを持つ機器であり、例えばデジタルカメラ、デジタルビデオ、ＤＶＤ装置、外部デジタル記憶装置（ＭＯ、ＣＤ等）を用いることができる。
【００２６】
通信ケーブル１２８は電話回線のように情報を伝達するためのもので、光ケーブルのように大量のデータを高速に通信できるようなものが望ましい。この場合、無線通信回線を用いて通信ネットワーク１４との間でデータを送受信するような構成をとる場合、通信ケーブル１２８に代えて無線通信回線インターフェースが設けられる。
【００２７】
インターネット・コインロッカー利用者装置１２は、ワークステーション、パーソナルコンピュータを用いると良い。
【００２８】
インターネット・コインロッカー利用者装置１３の装置構成
インターネット・コインロッカー利用者装置１３は、計算機１３１に、記憶措置１３２、入力装置１３４、出力装置１３５、デジタルデータ機器１３６、デジタルデータ変換装置１３７、データ通信ケーブル１３８を接続したものである。
【００２９】
これらの構造は、それぞれ記憶措置１２２、入力装置１２４、出力装置１２５、デジタルデータ機器１２６、通信ケーブル１２８と基本的に同じであるので説明を省略する。
【００３０】
デジタルデータ変換装置１３７は、紙情報や、携帯デジタル機器のメモリ媒体（フラシュメモリ、スマートメディア、メモリスティク等）などをデジタルデータに変換する装置であり、例えばスキャナ、スマートメディア変換フロッピー（Ｒ）ドライブなどを用いることができる。
【００３１】
通信ネットワーク１４の装置構成
通信ネットワーク１４の装置構成は、例えばＢ−ＩＳＤＮ、ＡＴＭ―ＬＡＮ等の高速ネットワークで構成できる。具体的には、インターネットに代表されるオープンなネットワークや、パソコン通信等の専用回線によるネットワーク等である。
【００３２】
本実施形態の処理フローの概要は以下のとおりである。
【００３３】
まず、インターネット・コインロッカー利用者は、インターネット・コインローカー利用に際して、例えばＷＷＷ（Ｗｏｒｌｄ  Ｗｉｄｅ  Ｗｅｂ）等を用いて、インターネット・コインローカーサーバに接続する。
【００３４】
デジタルデータの保存、取り出し、期間延長に対応した、それぞれのインターネット・コインローカー操作を行う。
【００３５】
インターネット・コインロッカー保存操作は、空のインターネット・コインロッカー番号を選択して、利用者コードを送信し、課金手続きを完了し、所望のデジタルデータをインターネット・コインロッカーに送り、インターネット・コインロッカーに鍵を掛け、インターネット・コインロッカー開錠キー番号を受け取る。
【００３６】
インターネット・コインロッカー取り出し操作は、所定のインターネット・コインロッカー番号を選択して、利用者コードを送信し、課金手続きを完了し、インターネット・コインロッカー開錠キー番号を送信し、インターネット・コインロッカーを開錠して、インターネット・コインロッカー内のデジタルデータを取り出す。
【００３７】
インターネット・コインロッカー期間延長操作は、所定のインターネット・コインロッカー番号を選択して、利用者コードを送信し、期間延長手続きを行い、課金手続きを完了する。
【００３８】
以下それぞれの方法を、図面を用いて更に説明する。
【００３９】
インターネット・コインロッカー利用者は、インターネット・コインロッカー利用者装置１２、１３の計算機１２１、１３１にインストールされたＷＷＷブラウザを用いて、インターネット・コインローカーサーバにアクセスし、インターネット・コインロッカー使用状況を確認する（ステップ２１０１）。このブラウザへの表示画面が、図４に示すインターネット・コインロッカー画面４１である。
【００４０】
ここでは、インターネット・コインロッカーの使用状況が表示されている。インターネット・コインロッカーは、最大保存デジタルデータ容量ごとに、５０Ｍバイト容量４１１、２００Ｍバイト容量４１２、１Ｇバイト容量４１３、フリーバイト容量４１４の各インターネット・コインロッカーがあり、それぞれアイコンで表示される。但し、最大保存デジタルデータ容量の値や種類は、適時決定されていてよい。
【００４１】
各インターネット・コインロッカーの各アイコン４１１には、開錠サイン４１５、施錠サイン４１６がそれぞれ表示されている。
【００４２】
また、各インターネット・コインロッカーアイコン４１１には個別のインターネット・コインロッカー番号４１７が表示されている。
【００４３】
インターネット・コインロッカーの各操作に応じて、図４に表示されている、所望のインターネット・コインロッカーのアイコン４１１を選んでマウスにて押す（ステップ２１０２）。施錠中のインターネット・コインロッカーを選択した場合は、図５のインターネット・コインロッカーデジタルデータ取り出し・期間延長画面５１が表示される（ステップ２１１２）。また開錠中のインターネット・コインロッカーを選択した場合は、図６のインターネット・コインロッカーデジタルデータ保存画面６１が表示される（ステップ２１０３）。
【００４４】
図６のインターネット・コインロッカーデジタルデータ取り出し・期間延長画面５１では、インターネット・コインロッカーデジタルデータ取り出しボタン５１１をマウスで押すと（ステップ２１１３）、図１１のインターネット・コインロッカーデジタルデータ取り出し画面１１１が表示され（ステップ２１１４）、インターネット・コインロッカー期間延長ボタン５１２をマウスで押すと（ステップ２１１３）、図１４のインターネット・コインロッカー期間延長画面１４１が表示される（ステップ２１２５）。
【００４５】
インターネット・コインロッカーにデジタルデータを保存するには、図６のインターネット・コインロッカーデジタルデータ保存画面６１で、利用者コードを利用者コード入力ボックス６１１に入力し、送信ボタン６１２をマウスで押すと（ステップ２１０４）、図７のインターネット・コインロッカー利用料金表示画面７１が表示される（ステップ２１０５）。図６のインターネット・コインロッカーデジタルデータ保存画面６１で、利用者コード入力ボックス６１１に利用者コードよしてＥメール・アドレスを入力し、期限切れメッセージチェエク６１３をチェエクしておけば、インターネット・コインロッカーの期限切れメッセージを受け取ることができるようにすることもできる。
【００４６】
図７のインターネット・コインロッカー利用料金表示画面７１では、インターネット・コインロッカーの使用容量に対応した利用料金７１１が表示される。ここで、利用したい料金支払い方法に応して、電子マネーボタン７１２、電子カードボタン７１３、現金ボタン７１４を選んでマウスで押せば、それぞれの方法での支払いチェックルーチンが動作し、このルーチンで支払いが確認されれば（ステップ２１０６）、図８のインターネット・コインロッカーデジタルデータ保存画面８１が表示される（ステップ２１０７）。また、支払いが完了されていなければ、インターネット・コインロッカー操作は終了し（ステップ２１１１）、図４のインターネット・コインロッカー画面４１に戻る。
【００４７】
図８のインターネット・コインロッカーデジタルデータ保存画面８１では、データの保存場所入力ボックス８１１にインターネット・コインロッカーに保存したいデジタルデータの場所（記憶装置のファイル名、デジタルデータ機器名等）を入力し、送信ボタン８１２をマウスで押すと、前記で選択したインターネット・コインロッカーに保存したいデジタルデータが保存され（ステップ２１０８）、前記インターネット・コインロッカーは施錠され（スッテプ１１０９）、図９のインターネット・コインロッカー開錠キー番号表示画面９１が表示される（ステップ２１１０）。
【００４８】
図９のインターネット・コインロッカー開錠キー番号表示画面９１の開錠キー番号表示ボックス９１１には、インターネット・コインロッカー番号、利用者コード、開錠キー番号がそれぞれ表示される。終了ボタン９１２をマウスで押すと、インターネット・コインロッカーデジタルデータ保存操作は終了し（ステップ２１１１）、図４のインターネット・コインロッカー画面４１に戻る。このとき、デジタルデータの保存を行われたインターネット・コインロッカーは、図４の施錠サイン４１６に変わっている。
【００４９】
インターネット・コインロッカーからデジタルデータを取り出すには、図１０のインターネット・コインロッカーデジタルデータ取り出し画面１０１で、利用者コードを利用者コード入力ボックス１０１１に入力し、送信ボタン１０１２をマウスで押す（ステップ２１１５）。
【００５０】
利用者が正しいかどうかチェックされ（ステップ２１１６）、利用者が正しくない場合は、インターネット・コインロッカーデジタルデータ取り出し操作を終了し（ステップ２１１１）、図４のインターネット・コインロッカー画面４１に戻る。
【００５１】
利用者が正しい場合は、超過利用料金がチェックされ（ステップ２１１７）、超過利用料金が発生しない場合は、図１２のインターネット・コインロッカーデジタルデータ取り出し画面１２１が表示される（ステップ２１１８）。
【００５２】
ここでもし、超過利用料金が発生している場合は、図１１のインターネット・コインロッカー超過利用料金表示画面１１１が表示される（ステップ２１２３）。図１１のインターネット・コインロッカー超過料金表示画面１１１では、インターネット・コインロッカーの超過利用期間に応じた超過利用料金１１１１が表示される。ここで、利用したい料金支払い方法に応して、電子マネーボタン１１１２、電子カードボタン１１１３、現金ボタン１１１４をマウスで押せば、それぞれの方法での支払いチェックルーチンが動作し（ステップ２１２４）、このルーチンで支払いが確認されれば、図１２のインターネット・コインロッカーデジタルデータ取り出し画面１２１が表示される（ステップ２１１８）。また、支払いが完了されていなければ、インターネット・コインロッカーデジタルデータ取り出し操作を終了し（ステップ２１１１）、図４のインターネット・コインロッカー画面４１に戻る。
【００５３】
図１２のインターネット・コインロッカーデジタルデータ取り出し画面１２１では、開錠キー番号を開錠キー番号入力ボックス１２１１に入力し（ステップ２１２０）、送信ボタン１２１２をマウスで押す（ステップ２１１９）。入力した開錠キー番号が正しければ、指定したインターネット・コインロッカーが開錠され（ステップ２１２１）、前記のインターネット・コインロッカーに預けたデジタルデータを取り出すことができる（ステップ２１２２）。インターネット・コインロッカーからのデジタルデータの取り出しが完了すると、図１３のインターネット・コインロッカーデジタルデータ取り出し完了画面１３１が表示され、終了ボタン１３１１をマウスで押すと、インターネット・コインロッカーデジタルデータ取り出し操作を終了し（ステップ２１１１）、図４のインターネット・コインロッカー画面４１に戻る。このとき、デジタルデータ取り出しを完了した前記のインターネット・コインロッカーは、図４の開錠サイン４１５に変わる。
【００５４】
入力した開錠キー番号が正しくない場合は、指定のインターネット・コインロッカーからデジタルデータを取り出すことはできず、インターネット・コインロッカーデジタルデータ取り出し操作を終了し（ステップ２１１１）、図５のインターネット・コインロッカー画面５１に戻る。この時は、前記のインターネット・コインロッカーは、図４の施錠サイン４１６のままである。
【００５５】
インターネット・コインロッカーの利用期間延長を行うには、図１４のインターネット・コインロッカー利用期間延長画面１４１で、利用者コードを利用者コード入力ボックス１４１１に入力し、送信ボタン１４１２をマウスで押す（ステップ２１２６）。
【００５６】
利用者が正しいかどうかチェックされ（ステップ２１２７）、利用者が正しくない場合は、インターネット・コインロッカー利用期間延長操作を終了し（ステップ２１１１）、図４のインターネット・コインロッカー画面４１に戻る。
【００５７】
利用者が正しい場合は、図１５のインターネット・コインロッカー利用期間延長日数入力画面１５１が表示される（ステップ２１２８）。ここで、希望する利用延長日数を利用延長日数ボックス１５１１に入力し、送信ボタン１５１２をマウスで押すと、利用期間延長日数に応じた図１６のインターネット・コインロッカー利用期間延長料金画面１６１に利用期間延に応じた利用期間延長料金１６１１１が表示される。ここで、利用したい料金支払い方法に応して、電子マネーボタン１１６１２、電子カードボタン１６１３、現金ボタン１６１４をマウスで押せば、それぞれの方法での支払いチェックルーチンが動作し（ステップ２１３０）、このルーチンで支払いが確認されれば、指定の利用期間延長手続きが完了し、図１７のインターネット・コインロッカー利用期間延長開錠キー番号表示画面１７１が表示される（ステップ２１３１）。
【００５８】
図１７のインターネット・コインロッカー利用期間延長開錠キー番号表示画面１７１の開錠キー番号表示ボックス１７１１には、インターネット・コインロッカー番号、利用者コード、新規の開錠キー番号がそれぞれ表示される。終了ボタン１７１２をマウスで押すと、インターネット・コインロッカー利用期間延長操作を終了し（ステップ２１１１）、図４のインターネット・コインロッカー画面４１に戻る。
【００５９】
また、支払いが完了されていなければ、インターネット・コインロッカー利用期間延長操作を終了し（ステップ２１１１）、図４のインターネット・コインロッカー画面４１に戻る。この時は、当然利用期間延長は行われない。
【００６０】
インターネット・コインロッカーに保管されたデジタルデータに対して、インターネット・コインロッカーサーバでは、毎日決められた時間に、図３のインターネット・コインロッカー管理処理フローに従って、各処理を行っている。
【００６１】
先ず、各インターネット・コインロッカーの利用状況を調査し（ステップ２２０１）、利用期間が超過したインターネット・コインロッカーに対しては、インターネット・コインロッカー内に保存されているデジタルデータを消去し（ステップ２２０７）、デジタルデータを消去した前記のインターネット・コインロッカーは、図４の開錠サイン４１５に変へ、利用可能なインターネット・コインロッカーに設定する。
【００６２】
また、利用期間が超過していないインターネット・コインロッカーに対しては、前記のインターネット・コインロッカー利用者から、期限切れメッセージ要求があるかないかを判定し、なければインターネット・コインロッカー管理処理を終了する（ステップ２２０６）。インターネット・コインロッカー利用者から期限切れメッセージ要求がある場合は、該当するインターネット・コインロッカーの利用期限が、１日前かを判定し（ステップ２２０４）、１日前ならば前記のインターネット・コインロッカー利用者に期限切れ警告メッセージを送信し（ステップ２２０５）、期限が１日以上残っている場合には、期限切れ警告メッセージは送信しないで、インターネット・コインロッカー管理処理を終了する（ステップ２２０６）。ここで、期限切れ警告メッセージを出す日数を１日としたが、この日数はインターネット・コインロッカーサーバで適時決定して良い。
【００６３】
このインターネット・コインロッカーを利用する、利用者の装置としては、デジタル機器が接続された個人使用のパソコンから、ＷＷＷブラウザを用いて行っても良いし、例えば、コンビニ、写真店、駅等に設置されたインターネット・コインロッカー専用（あらゆるデジタル機器の読み込みのできる装置の付いた）の端末を用いても良い。
【００６４】
【発明の効果】
以上詳細に述べたごとく、本発明によれば、前記従来技術の問題点を解決し、デジタルデータを保存する電子機器内部のデジタルメモリが足りなくなった場合や、外部デジタル記憶メディアがなくなった場合などに、所望のデジタルデータを一時的に他の場所に保存することができ、前記電子機器を続けて利用することができる。また、本発明により、デジタルデータの遠隔地への転送も可能となる。
【図面の簡単な説明】
【図１】本発明の実施形態におけるインターネット・コインロッカー（デジタルデータ一時預かり方法）の処理フロー図である。
【図２】本発明の実施形態を示す全体構成図である。
【図３】本発明の実施形態におけるインターネット・コインロッカー（デジタルデータ一時預かり方法）の処理フロー図である。
【図４】本発明の実施形態におけるインターネット・コインロッカー画面ある。
【図５】本発明の実施形態におけるインターネット・コインロッカーデジタルデータ取り出し・期間延長画面ある。
【図６】本発明の実施形態におけるインターネット・コインロッカーデジタルデータ保存画面ある。
【図７】本発明の実施形態におけるインターネット・コインロッカー利用料金表示画面ある。
【図８】本発明の実施形態におけるインターネット・コインロッカーデジタルデータ保存画面ある。
【図９】本発明の実施形態におけるインターネット・コインロッカー開錠キー番号表示画面ある。
【図１０】本発明の実施形態におけるインターネット・コインロッカーデジタルデータ取り出し画面ある。
【図１１】本発明の実施形態におけるインターネット・コインロッカー超過利用料金表示画面ある。
【図１２】本発明の実施形態におけるインターネット・コインロッカーデジタルデータ取り出し画面ある。
【図１３】本発明の実施形態におけるインターネット・コインロッカーデジタルデータ取り出し完了画面ある。
【図１４】本発明の実施形態におけるインターネット・コインロッカー利用期間延長画面ある。
【図１５】本発明の実施形態におけるインターネット・コインロッカー利用期間延長日数入力画面ある。
【図１６】本発明の実施形態におけるインターネット・コインロッカー利用期間延長料金画面ある。
【図１７】本発明の実施形態におけるインターネット・コインロッカー利用期間延長手続き完了画面ある。
【符号の説明】
１１  インターネット・コインロッカー管理サーバ
１２，１３  インターネット・コインロッカー利用者装置
１４  通信ネットワーク
１１１  計算機
１１２  プロブラム用記憶装置
１１３  インターネット・コインロッカー用記憶装置
１１８、１２８、１３８  データ通信ケーブル
１２１、１３１  計算機
１２２、１３２  記憶措置
１２４、１３４  入力装置
１２５、１３５  出力装置
１２６  デジタルデータ機器
１３７  デジタルデータ変換装置
【図１】
2004318692.tif 000003
【図２】
2004318692.tif 000004
【図３】
2004318692.tif 000005
【図４】
2004318692.tif 000006
【図５】
2004318692.tif 000007
【図６】
2004318692.tif 000008
【図７】
2004318692.tif 000009
【図８】
2004318692.tif 000010
【図９】
2004318692.tif 000011
【図１０】
2004318692.tif 000012
【図１１】
2004318692.tif 000013
【図１２】
2004318692.tif 000014
【図１３】
2004318692.tif 000015
【図１４】
2004318692.tif 000016
【図１５】
2004318692.tif 000017
【図１６】
2004318692.tif 000018
【図１７】
2004318692.tif 000019